(57)【要約】【課題】有線ネットワークを介して配信されるデジタル放送を受信装置と表示装置が一体でない構成で視聴する形態において、表示装置の非視聴状態においても、緊急警報放送の表示を可能にする。【解決手段】受信装置が、受信したＴＭＣＣ情報と緊急情報記述子の内容に基づき、緊急警報放送の受信を処理する緊急警報放送処理部、受信した緊急警報放送から抽出したオーディオ／ビデオ信号の前記表示装置への出力を制御する出力制御部を備え、前記緊急警報放送処理部は、緊急警報放送の受信を契機に、前記出力制御部へ前記オーディオ／ビデオ信号の出力を指示し、表示装置が、前記受信装置から入力するオーディオ／ビデオ信号を音声／映像として出力／表示する表示部、この表示部への電力供給を制御する電力制御部、オーディオ／ビデオ信号の外部からの入力状態に基づき、前記電力制御部に対し電力の供給／停止の契機を与える入力検出部を備える。【選択図】          図２
2010245872.tif 000002
【特許請求の範囲】
【請求項１】
有線ネットワークを介して配信されるデジタル放送を受信し、受信した放送から抽出したオーディオ／ビデオ信号を外部へ出力する受信装置と、この受信装置から出力されたオーディオ／ビデオ信号を入力して音声／映像を出力／表示する表示装置とを含み構成する緊急警報放送受信システムにおいて、
受信装置は、受信したＴＭＣＣ情報と緊急情報記述子の内容に基づき、緊急警報放送の受信を処理する緊急警報放送処理部、受信した緊急警報放送から抽出したオーディオ／ビデオ信号の前記表示装置への出力を制御する出力制御部を備え、
前記緊急警報放送処理部は、緊急警報放送の受信を契機に、前記出力制御部へ前記オーディオ／ビデオ信号の出力を指示し、
表示装置は、前記受信装置から入力するオーディオ／ビデオ信号を音声／映像として出力／表示する表示部、この表示部への電力供給を制御する電力制御部、オーディオ／ビデオ信号の外部からの入力状態に基づき、前記電力制御部に対し電力の供給／停止の契機を与える入力検出部を備えることを特徴とする緊急警報放送受信システム。
【請求項２】
前記表示装置の入力検出部は、当該表示装置が起動状態にある時に、オーディオ／ビデオ信号の入力が一定期間ない状態では、前記電力制御部へ電力の供給を停止する契機を与え、当該表示装置が待機状態にある時に、オーディオ／ビデオ信号の入力が一定期間ある状態では、前記電力制御部へ電力の供給を開始する契機を与えることを特徴とする請求項１に記載の緊急警報放送受信システム。
【発明の詳細な説明】
【技術分野】
【０００１】
本発明は、有線ネットワークを介して配信されるデジタル放送を受信し視聴する形態における緊急警報放送の受信に関し、特に、受信装置と表示装置が一体でない受信システムに関する。
【背景技術】
【０００２】
地震や津波などの災害発生時に、放送事業者等から災害地域に対して緊急警報放送が行われる。このような緊急警報放送の受信装置としては、テレビのような受信機能と表示機能とが一体となった装置が一般的であった。一方、近年、放送を視聴する形態として、放送波を直接受信し視聴する形態に加え、ＣＡＴＶやＩＰ放送などの有線ネットワークを介して配信される放送を視聴する形態が増えている。この有線ネットワーク、特にＩＰネットワークに接続する受信装置としては、サービス事業者毎に専用の受信装置を用いる場合が多く、この場合、別途表示装置を用意し、受信装置と外部で接続させて放送を視聴する構成となる。
【０００３】
緊急警報放送システム（Ｅｍｅｒｇｅｎｃｙ  Ｗａｒｎｉｎｇ  Ｓｙｓｔｅｍ：ＥＷＳ）では、緊急警報放送に先立ち、緊急警報放送の開始を受信装置に通知することで、受信装置が待機状態にあっても、緊急警報放送の受信に対応可能な仕組みとしている。ただし、待機状態において緊急警報放送の受信に対応するか否かは製品企画の範囲であるため、待機状態での緊急警報放送の受信に対応しない受信装置もある。
【０００４】
例えば、特許文献１のように、アンテナを介して放送波を受信して、放送、特にデジタル放送を視聴する形態において、待機状態の受信装置が、緊急警報放送の開始を伝える緊急警報放送起動用フラグおよび緊急警報情報記述子である”ｓｔａｒｔ＿ｅｎｄ＿ｆｌａｇ”の検出手順に基づいて、受信装置の主要な構成要素（例えば、メインＣＰＵと信号処理部）に電源を供給し、受信装置内での主要機能（放送波から音声信号、映像信号を取り出すなど）を実行する手順を備えた受信装置がある。
【０００５】
しかし、セットトップボックスのような受信装置では、別途、オーディオ、ビデオの表示装置を用意して外部で接続させて放送を視聴する構成をとるため、受信装置のみが上記のような待機状態での緊急警報放送の受信に対応したものであっても、外部接続された表示装置が起動していなければ緊急警報放送の視聴はできないため、緊急警報放送の視聴の目的に供するには至らなかった。このような実状から、待機状態での緊急警報放送の受信と視聴に対応する構成としては、放送を受信する機能と、オーディオおよびビデオを表示する機能とが一体である装置において実現されてきた。
【先行技術文献】
【特許文献】
【０００６】
【特許文献１】特開２００５−７９７５２号公報
【発明の概要】
【発明が解決しようとする課題】
【０００７】
従来の装置では、ＣＡＴＶやＩＰ放送などの有線ネットワークを介してデジタル放送を視聴する形態であって、受信装置と映像・音声の表示機能を備える表示装置とが外部で接続される構成において、受信装置の緊急警報放送の受信を契機に表示装置を非視聴状態から視聴状態に移行させる仕組みがないという問題点があった。
【０００８】
この発明は、上述のような課題を解決するためになされたもので、有線ネットワークを介して配信されるデジタル放送を受信装置と表示装置が一体でない構成で視聴する形態において、表示装置の非視聴状態においても、緊急警報放送の表示が可能な緊急警報放送受信システムを得ることを目的とする。
【課題を解決するための手段】
【０００９】
この発明の緊急警報放送受信システムは、有線ネットワークを介して配信されるデジタル放送を受信し、受信した放送から抽出したオーディオ／ビデオ信号を外部へ出力する受信装置と、この受信装置から出力されたオーディオ／ビデオ信号を入力して音声／映像を出力／表示する表示装置とを含み構成する緊急警報放送受信システムであって、受信装置が、受信したＴＭＣＣ情報と緊急情報記述子の内容に基づき、緊急警報放送の受信を処理する緊急警報放送処理部、受信した緊急警報放送から抽出したオーディオ／ビデオ信号の前記表示装置への出力を制御する出力制御部を備え、前記緊急警報放送処理部は、緊急警報放送の受信を契機に、前記出力制御部へ前記オーディオ／ビデオ信号の出力を指示し、表示装置が、前記受信装置から入力するオーディオ／ビデオ信号を音声／映像として出力／表示する表示部、この表示部への電力供給を制御する電力制御部、オーディオ／ビデオ信号の外部からの入力状態に基づき、前記電力制御部に対し電力の供給／停止の契機を与える入力検出部を備えるものである。
【発明の効果】
【００１０】
この発明によれば、受信装置への緊急警報放送の受信を契機に、受信装置からオーディオ／ビデオ信号が出力され、このオーディオ／ビデオ信号の表示装置への入力状態に基づき、表示装置の表示部への電力供給が制御されるので、表示装置の非視聴状態においても、緊急警報放送の表示が可能となる。
【図面の簡単な説明】
【００１１】
【図１】この発明の実施の形態１に係る有線ネットワークを介して配信される放送の視聴形態を示す構成図である。
【図２】この発明の実施の形態１に係る緊急警報対応受信装置の構成を示すブロック図である。
【図３】この発明の実施の形態１に係るオーディオ／ビデオ表示装置の構成を示すブロック図である。
【図４】この発明の実施の形態１に係る緊急情報記述子の構成を示す図である。
【発明を実施するための形態】
【００１２】
実施の形態１．
図１は、この発明の実施の形態１に係る受信装置である緊急警報放送対応受信装置１１と表示装置であるオーディオ／ビデオ表示装置１２とを含み構成する緊急警報放送受信システムを、有線ネットワーク１０を介して配信される放送（緊急警報放送を含む）を視聴するように接続した接続形態を示す概念図である。
【００１３】
図２は、緊急警報放送対応受信装置１１の構成を示すブロック図である。図において、緊急警報放送対応受信装置１１はオーディオ／ビデオ信号の出力を制御する機能を有し、かつＩＰ放送を受信するセット・トップ・ボックスであって、受信インタフェース部２１と、受信処理部２２と、選局制御部２３と、緊急警報放送処理部２４と、再生処理部２５と、出力制御部２６と、出力インタフェース部２７と、ユーザインタフェース部２８を備える。緊急警報放送対応受信装置１１は、有線ネットワーク１０を介して接続されているＣＤＮ（Ｃｏｎｔｅｎｔｓ  Ｄｅｌｉｖｅｒｙ  Ｎｅｔｗｏｒｋ）から配信されるデジタル放送、および緊急警報放送を受信する。
【００１４】
受信処理部２２は、ＣＤＮからＩＰ（Ｉｎｔｅｒｎｅｔ  Ｐｒｏｔｏｃｏｌ）により配信されるデジタル放送を受信インタフェース部２１を介して受信する。緊急警報放送処理部２４は、受信処理部２２によって受信された放送から、緊急警報放送を受信し処理を行うとともに、サービス提供事業者のＣＤＮの仕様に基づいて配信されるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）を受信し監視する。ＴＭＣＣの監視は、この緊急警報放送対応受信装置１１が待機状態においても行う。
【００１５】
デジタル放送におけるＴＭＣＣ情報では、緊急警報放送用起動フラグに設定される値が”１”の場合に「起動制御あり」（緊急警報信号を伝送する場合）を示し、”０”の場合に「起動制御なし」（それ以外の場合）を示す。緊急警報放送の場合は、ＴＭＣＣの緊急警報放送用起動フラグが”１”に設定され、番組特定情報のＰＭＴ（Ｐｒｏｇｒａｍ  Ｍａｎａｇｅｍｅｎｔ  Ｔａｂｌｅ）内の緊急情報記述子に、開始／終了フラグ、第１種／第２種種別、地域符号が設定される。
【００１６】
ここで、緊急情報記述子について説明する。図４は、緊急情報記述子の構成を示す。緊急情報記述子４０は、記述子タグ４１、記述子長４２、サービス識別子４３、開始／終了フラグ４４、信号種別４５、未定義Ａ４６、地域符号長４７、地域符号４８、未定義Ｂ４９を含み構成される。また、サービス識別子４３〜未定義Ｂ４９の部分は繰り返し用いられる。記述子タグ４１は、緊急情報記述子４０を示す値が設定される８ビットの領域である。記述子長４２は８ビットの領域であり、これより後に続くデータバイト数が設定される。サービス識別子４３は１６ビットの領域であり、放送番組番号が設定される。開始／終了フラグ４４は１ビットの領域であり、設定される値が”１”の場合は緊急警報信号が開始もしくは放送中であることを示し、”０”の場合は緊急警報信号が終了したことを示す。
【００１７】
信号種別４５は１ビットの領域であり、信号の種別としては、無線設備規則第９条の３第５号、無線局運用規則第１３８条、郵政省告示昭６０第４０９号で定められている第１種開始信号、第２種開始信号がある。信号種別４５に設定される値が”０”の場合は第１種開始信号であり、大規模地震対策特別処置法（昭和５３年法律第７３号）第９条第１項の規定により警戒宣言が発せられたことを放送する。信号種別４５に設定される値が”１”の場合は第２種開始信号であり、気象業務法（昭和２７年法律第１６５号）第１３条第１項の規定により、津波警報が発せられたことを放送する。未定義Ａ４６は６ビットの未定義の領域である。地域符号長４７は８ビットの領域であり、これより後に続くデータバイト数が設定される。地域符号４８は１２ビットの領域であり、緊急警報信号の構成に規定する地域符号を伝送する。未定義Ｂ４９は４ビットの未定義の領域である。
【００１８】
図２に戻り、緊急警報放送処理部２４は、監視中のＴＭＣＣの緊急警報放送用起動フラグが”１”になった後、受信ＴＳ（Ｔｒａｎｓｐｏｒｔ  Ｓｔｒｅａｍ）のＰＭＴにある緊急情報記述子の内容を判定し、緊急情報記述子の開始／終了フラグが”１”のとき、地域符号が受信装置に設定されている地域符号に該当していれば、当該緊急情報記述子のサービス識別子に基づいて、選局制御部２３に対して選局を指示する。このとき、緊急警報放送対応受信装置１１は、待機状態から起動状態に切り替わる。選局制御部２３は、受信処理部２２に対して、指示された選局先からの緊急警報放送を受信するよう指示する。
【００１９】
また、緊急警報放送処理部２４は、緊急警報放送の受信を契機として、出力制御部２６に対して、受信した放送から抽出したオーディオ／ビデオ信号を出力インタフェース部２７へ出力するよう指示する。出力制御部２６は、指示された時点でオーディオ／ビデオ信号の出力を停止していれば、オーディオ／ビデオ信号の出力を再開するよう制御する。これにより、オーディオ／ビデオ信号が出力インタフェース２７を介して、緊急警報放送対応受信装置１１の外部へ出力される。
【００２０】
図３は、緊急警報放送対応受信装置１１から出力されるオーディオ／ビデオ信号を入力し、音声／映像を出力／表示するオーディオ／ビデオ表示装置１２の構成を示すブロック図である。図において、オーディオ／ビデオ表示装置１２は、入力インタフェース部３１と、入力検出部３２と、電力制御部３３と、表示部３４とを備えた、スピーカ付ディスプレイモニターである。
【００２１】
入力検出部３２は、入力インタフェース部３１から入力されるオーディオ／ビデオ信号の有無を監視し、オーディオ／ビデオ信号の入力の状態に基づき、電力制御部３３に対し電力の供給／停止の契機を与える。オーディオ／ビデオ表示装置１２が起動状態にある時に、オーディオ／ビデオ信号の入力が一定期間ない状態では、入力検出部３２は、電力制御部３３へ電力の供給を停止する契機を与える。電力制御部３３は、入力検出部３２から与えられた上記契機で、表示部３４への電力の供給を停止し、オーディオ／ビデオ表示装置１２を起動状態から待機状態へ切り替える。また、オーディオ／ビデオ表示装置１２が待機状態にある時に、オーディオ／ビデオ信号の入力が一定期間ある状態では、入力検出部３２は、電力制御部３３へ電力の供給を開始する契機を与える。電力制御部３３は、入力検出部３２から与えられた上記契機で、表示部３４への電力の供給を再開し、オーディオ／ビデオ表示装置１２を待機状態から起動状態へ切り替える。
【００２２】
次に、この緊急警報放送受信システムにおいて緊急警報放送を受信する場合の動作を説明する。有線ネットワーク１０、緊急警報放送対応受信装置１１、オーディオ／ビデオ表示装置１２を、有線ネットワークを介して配信される放送を視聴する形態に接続する構成において、非視聴状態、すなわち緊急警報放送対応受信装置１１と、オーディオ／ビデオ表示装置１２とが待機状態で緊急警報放送が放送された場合は、まず、緊急警報放送対応受信装置１１の緊急警報放送処理部２４が、監視中のＴＭＣＣ情報において警報放送用起動フラグが”１”であること、緊急情報記述子の開始／終了フラグ”１”であり、地域符号が当該受信システムの設定されている地域符号に該当していることを検出して、待機状態から起動状態に切り替わる。そして、当該緊急情報記述子のサービス識別子に基づいて、選局制御部２３に対し選局を指示し、受信処理部２２が指示された選挙先から緊急警報放送を受信する。
この緊急警報放送の受信を契機として、緊急警報放送処理部２４が出力制御部２６に対して出力を指示し、出力インタフェース部２７からオーディオ／ビデオ信号の出力が開始される。この時、オーディオ／ビデオ表示装置１２では、入力インタフェース部３１からオーディオ／ビデオ信号の入力が開始されるので、入力検出部３２がオーディオ／ビデオ信号の入力状態に基づいて、電力制御部３３へ電力の供給の契機を与える。電力制御部３３は、入力検出部３２から与えられた契機により、表示部３４への電力の供給を再開し、オーディオ／ビデオ表示装置１２を待機状態から起動状態へ切り替える。これにより、緊急警報放送対応受信装置１１で受信された緊急警報放送をオーディオ／ビデオ表示装置１２により、音声出力／映像表示する。
【００２３】
上記のように、本発明の実施の形態１によれば、有線ネットワークを介して配信される放送を、緊急警報放送対応受信装置１１とオーディオ／ビデオ表示装置１２とで視聴する視聴環境（受信システム）を構成することによって、非視聴状態における緊急警報放送の受信に対して、見逃しなく、速やかに視聴状態を確保することが可能となる。
【符号の説明】
【００２４】
１０  有線ネットワーク
１１  緊急警報放送対応受信装置（受信装置）
１２  オーディオ／ビデオ表示装置（表示装置）
２４  緊急警報放送処理部
２６  出力制御部
３２  入力検出部
３３  電力制御部
３４  表示部
【図１】
2010245872.tif 000003
【図２】
2010245872.tif 000004
【図３】
2010245872.tif 000005
【図４】
2010245872.tif 000006